(57)【特許請求の範囲】
【請求項１】
プリペイドカードが挿入されるカード挿入口を前面の操作面に臨ませるようにしてカード処理ユニットが組み込まれたプリペイドカード処理装置において、
前記カード処理ユニットは、前記カード挿入口より挿入されたプリペイドカードを搬送するカード搬送系と、プリペイドカードより情報を読み取る読取ヘッドとを内蔵すると共に、前記カード搬送系の終端に使用済のプリペイドカードを排出するカード排出口を備えており、
前記カード排出口がカード挿入口より低位に位置するよう前記カード処理ユニットを斜めに取り付けると共に、前記カード排出口の下方に上面開口のカード回収容器を配設して成るプリペイドカード処理装置。
【発明の詳細な説明】
【０００１】
【産業上の利用分野】
この発明は、カード挿入口を前面の操作面に臨ませるようにしてカード処理ユニットが組み込まれたプリペイドカード処理装置に関連し、特にこの発明は、使用済のプリペイドカードを装置内に回収することができるプリペイドカード処理装置に関する。
【０００２】
【従来の技術】
近年、プリペイドカードの普及に伴い、パチンコホールなどの遊戯場でも、プリペイドカードによりパチンコ玉やメダルなどの遊戯媒体を貸し出すようになっている。
このような遊戯場では、プリペイドカードを発行する発券装置が設けられると共に、遊戯機毎に、前記プリペイドカードを受け付けて遊戯機に対する遊戯媒体の貸出しを行うプリペイドカード処理装置が隣接配置されている。
【０００３】
遊戯者は、前記発券装置に所定の金額の紙幣（例えば千円札）を投入して、所定の金額価値が記録されたプリペイドカードを購入した後、このプリペイドカードを遊戯機に隣接するプリペイドカード処理装置へ投入して、遊戯媒体を借り受け、ゲームを実行する。
【０００４】
プリペイドカード処理装置は、投入されたプリペイドカードの真偽および金額価値を判断し、前記金額価値より所定の金額価値を差し引いてメダル枚数に相応する度数データに変換すると共に、プリペイドカードの金額価値を書き替えてそのカードを装置外へ排出するようにしている。
【０００５】
ところが、金額価値がゼロになった使用済のプリペイドカードは、遊戯者にとって不要であり、遊戯者は装置外へ排出された使用済のプリペイドカードをわざわざ廃棄しなければならず、客サービスに欠けるという問題があった。
【０００６】
【発明が解決しようとする課題】
そこで、図８に示すように、プリペイドカード処理装置６０内にカード回収容器４１を設けて、使用済のプリペイドカードＣを回収することも提案されている。
このプリペイドカード処理装置６０では、機体前面の操作面６１にカード挿入口３１を臨ませるようにしてプリペイドカード処理ユニット３０が水平に組み込まれている。前記プリペイドカード処理ユニット３０は、カード搬送系３２の終端位置に、カード排出口３５を備えており、プリペイドカード処理ユニット３０内に取り込まれたプリペイドカードの金額価値がゼロになったとき、前記カード排出口３５よりその使用済のプリペイドカードＣを排出させて、下方に設置されたカード回収容器４１内に落下させている。
【０００７】
しかしながら、上記プリペイドカード処理装置６０では、カード処理ユニット３０の全長（奥行き）が長く、しかも使用済のプリペイドカードＢをカード排出口３５より水平方向へ排出させるため、機体の奥行き幅を大きく設定する必要がある。そのためプリペイドカード処理装置が大型化し、パチンコ機やスロットマシンのように、奥行き幅の小さな遊戯機に隣接配置するには不向きである。
【０００８】
この発明は、上記問題に着目してなされたもので、カード処理ユニットの組込み方法を工夫することにより、機体の奥行き幅を小さくできかつ、使用済のプリペイドカードを回収できるプリペイドカード処理装置を提供することを目的とする。
【０００９】
【課題を解決するための手段】
この発明のプリペイドカード処理装置は、プリペイドカードが挿入されるカード挿入口を前面の操作面に臨ませるようにしてカード処理ユニットが組み込まれた構成のものである。前記カード処理ユニットは、前記カード挿入口より挿入されたプリペイドカードを搬送するカード搬送系と、プリペイドカードより情報を読み取る読取ヘッドとを内蔵すると共に、前記カード搬送系の終端に使用済のプリペイドカードを排出するカード排出口を備えている。前記カード排出口がカード挿入口より低位に位置するよう前記カード処理ユニットが斜めに取り付けられると共に、前記カード排出口の下方に上面開口のカード回収容器が配設されている。
【００１０】
【作用】
カード挿入口へ挿入されたプリペイドカードのうち、使用済になったものは、カード排出口より排出されて下方のカード回収容器に回収される。
カード処理ユニットが斜めに取り付けられており、しかも使用済のプリペイドカードをカード排出口より斜め下方へ排出することが可能であるので、プリペイドカード処理装置の奥行き幅は小さく設定できる。
【００１１】
【発明の実施の形態】
図１には、この発明のプリペイドカード処理装置をスロットマシン２に隣接配置した遊戯場システムの構成が示してある。前記プリペイドカード処理装置１は、図２〜図４に示すように、プリペイドカードが挿入されるカード挿入口３１を前面の操作面２２に臨ませるようにしてカード処理ユニット３０が組み込まれて成る。前記カード処理ユニット３０は、挿入されたプリペイドカードを搬送するカード搬送機構３２と、プリペイドカードに対して情報を読み書きする磁気ヘッド３４とを内蔵しており、カード搬送機構３２の終端には、使用済のプリペイドカードを排出するためのカード排出口３５が形成されている。このカード処理ユニット３０は、前記カード排出口３５がカード挿入口３１より低位に位置するよう後端部に向かって低く傾斜するように配設される。前記カード排出口３５の下方には、上面開口のカード回収容器４１が配設される。
【００１２】
【実施例】
図１は、この発明の一実施例のプリペイドカード処理装置１を使用した遊戯場システムを示す。
この遊戯場システムは、スロットマシン２毎に設けられた複数台のプリペイドカード処理装置１と、遊戯場内の適所に配置された発券装置３とを、双方向型の通信回線Ｌ１により制御装置４に電気接続して成るもので、さらに制御装置４は、公衆回線などの通信回線Ｌ２を介してカード会社のセンター装置５に接続される。
【００１３】
前記プリペイドカード処理装置１は、発券装置３で発行されたプリペイドカードを受け付けて、隣接するスロットマシン２へのメダルの貸出しを行うもので、各スロットマシン２とプリペイドカード処理装置１との間はコード線６により電気接続されている。
【００１４】
発券装置３は、金額価値が予め記録されたプリペイドカードを発行するためのもので、機体前面に設けられた紙幣投入口１３より所定金額の紙幣（例えば千円札）が投入されると、機体内部のカード収容部から１枚のカードが繰り出され、情報記録部に、発券番号，発行店番号，発行日，投入紙幣に応じた金額価値などの情報（以下、「カード情報」という）が書き込まれた後、カード発行口１４より発行される。
【００１５】
なお、この遊戯場システムでは、プリペイドカードは、発行された遊戯場において発行当日に限り有効になるよう設定されており、各プリペイドカードに記録された金額価値や発行日などのカード情報は、発券装置３のメモリに記憶されるほか、通信回線Ｌ１を介して適宜制御装置４へと送信される。
【００１６】
スロットマシン２は、周面に複数の図柄がそれぞれ表示された３個のリール（図示せず）を備えており、機体の前面には、メダル貸出スイッチ７，始動レバー９，リール毎の停止釦スイッチ８，度数表示器１０，メダル枚数表示器１１などが設けられ、機内には、ＣＰＵを制御主体として構成各部を電気制御する制御回路部１２が組み込まれている。
【００１７】
制御装置４は、発券装置３で発行されたプリペイドカードのカード情報を適宜受信するほか、各プリペイドカード処理装置１におけるカード利用度数や発券装置３におけるカード売上金額などのデータを受信して処理し、その処理結果をモニタ１５などに出力する。またこの処理結果は、適宜、回線Ｌ２を介してカード会社のセンター装置５に送信され、精算処理などの管理に利用される。
【００１８】
前記プリペイドカード処理装置１は、プリペイドカードより読み取ったカード情報を前記通信回線Ｌ１を介して発券装置３へ送信する。発券装置３では、受信した前記カード情報をメモリ内の記憶情報と照合し、その照合結果をカード情報送信元のプリペイドカード処理装置１に返送する。
【００１９】
前記照合結果により、投入されたプリペイドカードが適正であると判定されると、プリペイドカード処理装置１は、そのカードを受け付けて、スロットマシン２のメダル貸出スイッチ７の押操作に待機する。
【００２０】
遊戯者が、スロットマシン２のメダル貸出スイッチ７を押操作すると、プリペイドカード処理装置１は、プリペイドカードから差し引く金額価値（以下これを「差引き金額データ」という）を所定の度数に変換して、変換した度数データをスロットマシン２に送信すると共に、前記差引き金額データを用いてカードに記録された金額価値情報の書換え処理を行う。
【００２１】
このとき、書換え処理を受けたプリペイドカードは、不正使用を防止するために所定位置に穿孔処理などが施され、金額価値がゼロになれば、装置内へ回収される。
【００２２】
スロットマシン２では、制御回路部１２が、受信した度数データを用いて度数表示器１０の表示内容を更新すると共に、機体を前記度数データ分のメダルが投入された状態に設定して、ゲームの開始に待機する。
【００２３】
なお、プリペイドカード処理装置１は、プリペイドカードの投入に応じてメダルを排出する構成のものであってもよく、またプリペイドカードの発行機能を備えたものであってもよい。
【００２４】
図２〜図４は、前記プリペイドカード処理装置１の構成を示す。
このプリペイドカード処理装置１は、縦長ボックス１の前面開口の中央部に中板２１ｂが配備され、その上端に上扉２１ａが、下端に下扉２１ｃが、それぞれ蝶番により開閉可能に取り付けられている。前記上扉２１ａ，中板２１ｂ，下扉２１ｃにより操作面２２が形成される。
【００２５】
前記上扉２１ａ上には、受け付けられたプリペイドカードの金額価値を表示する金額表示部２５と、機械の動作状態を報知する第１の表示ランプ２４およびスピーカー２３と上扉２１ａを施錠するための錠２６とが設けられている。
【００２６】
前記第１の表示ランプ２４は、プリペイドカード処理装置１が正常に作動しているときは消灯しているが、プリペイドカードの詰まりなど、機体内に異常が発生すると点灯する。また、スピーカー２３は、機体内に異常が発生すると警報音を発生させる。
【００２７】
中板２１ｂ上には、カード返却スイッチ２７と第２の表示ランプ２８とが並べて設けれており、その下方には、機体内に組み込まれたカード処理ユニット３０の前端部が、前端面に形成されたカード挿入口３１を斜め上方に向けた状態で突出している。
【００２８】
前記カード返却スイッチ２７は、カード処理ユニット３０内に取り込まれたプリペイドカードの返却を要求するためのものであり、第２の表示ランプ２８は、カード処理ユニット３０内に処理対象のプリペイドカードが保持されている間点灯し、カード返却スイッチ２７の押操作によりプリペイドカードがカード挿入口３１に返却されると点滅する。
【００２９】
下扉２１ｃ上は、下扉２１Ｃを施錠するための錠２９が配備されており、下扉２１Ｃを開放することにより、カード回収容器４１が出し入れ可能である。
【００３０】
前記カード処理ユニット３０は、外形が直方体であり、カード挿入口３１よりプリペイドカードを取り込んでカード情報の読取や金額価値情報の書換えなどの処理を行う。前端面にはカード挿入口３１が形成され、内部には、カード搬送機構３２，入口センサ３３，磁気ヘッド３４が配備されている。前記カード搬送機構３２の終端位置であって、カード処理ユニット３０の後端面には、使用済のプリペイドカードＢを排出するためのカード排出口３５が形成されている。
【００３１】
前記カード搬送機構３２は、カード挿入口３１より挿入されるプリペイドカードＡをカード処理ユニット３０内へ取り込んだり、カード返却スイッチ２７の押操作などに応じてカード処理ユニット３０内のプリペイドカードを外部へ返却したりする。入口センサ３３は、カード処理ユニット３０に対するプリペイドカードの出入を検知する。磁気ヘッド３４は、取り込まれたプリペイドカードに対してカード情報の読み書きを実行する。
【００３２】
このカード処理ユニット３０は、図４に示すように、斜めに傾けて取り付けられたユニットホルダ３６内に収納保持されるもので、カード挿入口３１を有する前端面の上辺が中板２１ｂの面上に位置し、カード排出口３５が前記カード挿入口３１より低位に位置する。
【００３３】
ユニットホルダ３６の後端部にはユニットセンサ３７が配備され、カード処理ユニット３０がユニットホルダ３６の一番奥まで嵌め込まれているかどうかを検知する。また、ユニットホルダ３６の後端面には、カード処理ユニット３０のカード排出口３５と連通させるようにして、同様のカード排出口が形成されている。
【００３４】
中板２１ｂの内側の空間と下扉２１ｃの内側の空間とは、仕切板４０により区分されており、前記カード排出口３５より排出された使用済のプリペイドカードＢが落下する位置に貫通孔４４が形成されている。この貫通孔４４上には、カード排出口３５より排出されたプリペイドカードＢを確実に貫通孔４４へ導くための筒状のガイド３８が形成されており、ガイド３８の内面には、プリペイドカードＢが排出されたことを検出するための出口センサ３９が設置されている。
【００３５】
下扉２１ｃの内側は、カード回収容器４１を収容するための空間であり、背部には、容器センサ４３を設けて、カード回収容器４１が定位置にセットされていることを検知するようにしてある。
【００３６】
カード回収容器４１の開口縁には、前記貫通孔４４の下方に位置する箇所に、容器の中央部に向かって傾斜するガイド板４２が形成されており、ガイド３８および貫通孔４４を経て落下する使用済のプリペイドカードＢを容器内へ導いている。
【００３７】
図５は、プリペイドカード処理装置１の電気的構成を示すもので、制御・演算の主体であるＣＰＵ５１と、プログラムが格納されるＲＯＭ５２と、データの読み書きに使用されるＲＡＭ５３とから成る制御部５０を備えている。ＣＰＵ５１には、バス５４を介して、前記した第１の表示ランプ２４，金額表示部２５，第２の表示ランプ２８，カード返却スイッチ２７，スピーカー２３，カード搬送機構３２，磁気ヘッド３４，入口センサ３３，ユニットセンサ３７，出口センサ３９，容器センサ４３のほか送受信部５５，タイマ５６などが接続されている。
【００３８】
送受信部５５は、カード処理ユニット３０に挿入されたプリペイドカードのカード情報により、そのカードの真偽を発券装置３に照会する場合など、他の各装置との間で情報の送受信を行うためのものである。
なおタイマ５６の機能は、後述するプリペイドカード処理装置１の制御手順の説明の中で言及する。
【００３９】
図６は、前記プリペイドカード処理装置１の制御手順を示す。
なお、図６〜図８中，「ＳＴ」は「ステップ」を意味しており、以下の説明文でも「ステップ」を「ＳＴ」と表す。
ＣＰＵ５１は、まずＳＴ１で、カード挿入口３１へのプリペイドカードの挿入に待機しており、つぎのＳＴ２で、ユニットホルダ３６へカード処理ユニット３０が正しく設置されているかどうか、続くＳＴ３で、下扉２１ｃ内の空間へカード回収容器４１が正しく設置されているかどうかが判断される。
【００４０】
カード処理ユニット３０およびカード回収容器４１が正しく設置されている状態で、プリペイドカードがカード挿入口３１へ投入されると、ＳＴ１〜ＳＴ３は全て「ＹＥＳ」となり、ＣＰＵ５１は、ＳＴ４でカード搬送機構３２のモータを正転させて、プリペイドカードをカード処理ユニット３０内へ取り込んだ後、ＳＴ５で、磁気ヘッド３４によりプリペイドカードのカード情報を読み取り、そのフォーマットが適正であるか否かをチェックする。もしフォーマットが適正であれば、さらに前記カード情報を発券装置３のメモリ内に記憶された情報と照合して、その適否を判定する。
【００４１】
前記照合の結果、取り込まれたプリペイドカードが適正であれば、ＳＴ５の判定は「ＹＥＳ」であり、ＣＰＵ５１は、ＳＴ６で、第２の表示ランプ２８を点灯させた後、スロットマシン２からの金額差引要求（ＳＴ７）またはカード返却スイッチ２７の押操作（ＳＴ８）のいずれかに待機する。
【００４２】
挿入されたプリペイドカードが適正でなければ、ＳＴ５は「ＮＯ」であり、ＣＰＵ５１は、ＳＴ３０〜ＳＴ４３に示すカード返却処理により、不適正なカードをカード挿入口３１に返却した後、全ての処理を終了する。
なお、前記カード返却処理の詳細については、後述する。
【００４３】
遊戯者がスロットマシン２のメダル貸出スイッチ７を押操作することにより、プリペイドカード処理装置１に対して金額差引要求が出されると、ＳＴ７が「ＹＥＳ」になり、ＣＰＵ５１は、差引金額データを所定の度数データに変換して、スロットマシン２に送信し（ＳＴ９）、さらに、前記差引金額データを用いてプリペイドカードの金額価値情報の書換え処理を行う（ＳＴ１０）。
なお、スロットマシン２は、度数データの送信によりメダルが貸与された状態になり、ゲームの実行に待機する。
【００４４】
続くＳＴ１１では、書換え処理後のプリペイドカードの金額価値がゼロか否かを判定しており、もし、金額価値が残っていれば、判定が「ＮＯ」となって、再び、スロットマシン２からの金額差引要求（ＳＴ７）またはカード返却スイッチ２７の押操作（ＳＴ８）のいずれかに待機する。
【００４５】
また、書換え処理後の金額価値がゼロの場合は、ＳＴ１１が「ＹＥＳ」になり、ＣＰＵ５１は、カード搬送機構３２のモータを正転させて、金額価値がゼロ、すなわち使用済のプリペイドカードをカード排出口３５へ導き（ＳＴ１２）、図７のＳＴ１３に進んで、タイマ５６をスタートさせた後、出口センサ３９からのプリペイドカードの検知出力（ＳＴ１４）またはタイマ５６のタイムアップ（ＳＴ１５）に待機する。
【００４６】
もし、タイマ５６のタイムアップまでに、カード排出口３５より使用済のプリペイドカードが排出されてガイド３８を通過し、出口センサ３９の出力がオンになると、ＳＴ１４が「ＹＥＳ」となり、ＣＰＵ５１は、タイマ５６と、カード搬送機構３２のモータとを停止させ、第２の表示ランプ２８を消灯させて、カード回収容器４１内のプリペイドカードを計数するカウンタＮ（以下、「回収カードカウンタＮ」という）の値を「１」インクリメントする（ＳＴ１６〜ＳＴ１９）。
【００４７】
続くＳＴ２０では、インクリメント後の回収カードカウンタＮの値が、所定の値Ｎ０  より大きいか否かを判定している。
前記Ｎ０  は、カード回収容器４１内に回収可能なプリペイドカードの最大枚数を示しており、回収カードカウンタＮの値がＮ０  以下、すなわちカード回収容器４１内のプリペイドカード数が許容枚数以内のときは、ＳＴ２０が「ＮＯ」となってそのまま処理を終えるが、回収カードカウンタＮの値がＮ０  より大、すなわち許容枚数を越えたときは、ＳＴ２０が「ＹＥＳ」となり、ＣＰＵ５１は、カード回収容器４１が機体内より取り出されるまでの間、第１の表示ランプ２４を点灯させ、スピーカー２３より警報音を発生させて、機体内に異常が発生したことを報知し続ける（ＳＴ２１〜２３）。
【００４８】
ホールの従業員などが下扉２１ｃを開けて、カード回収容器４１の中身を廃棄すべく容器を取り出すと、ＣＰＵ５１は、第１の表示ランプ２４を消灯させ、警報音を停止させて（ＳＴ２３）、回収カードカウンタＮの値をゼロクリアした後（ＳＴ２４）、全ての処理を終える。
【００４９】
ＳＴ１２でカード搬送機構３２が作動した後、カード処理ユニット３０内でプリペイドカードの詰まり等の異常が発生し、ＳＴ１４で出口センサ３９の出力がオンになる前に、タイマ５６がタイムアップすると、ＳＴ１５が「ＹＥＳ」となり、ＣＰＵ５１は、カード搬送機構３２のモータを停止させ、カード処理ユニット３０がユニットホルダ３６から取り出されるまでの間、第１の表示ランプ２４を点灯させ、スピーカー２３より警報音を発生させて、機体内に異常が発生したことを報知し続ける（ＳＴ２５〜２８）。
【００５０】
ホールの従業員などが、カード処理ユニット３０の中を点検すべく、ユニットホルダ３６よりカード処理ユニット３０を取り出すと、ＳＴ２７が「ＹＥＳ」になり、ＣＰＵ５１は、第１の表示ランプ２４を消灯させ、警報音を停止させて（ＳＴ２８）、第２の表示ランプ２８を消灯させた後（ＳＴ２９）、全ての処理を終える。
【００５１】
再び図６に戻って、もし、ゲームが終了し、カード返却スイッチ２７が押操作された場合は、ＳＴ８が「ＹＥＳ」になり、ＣＰＵ５１は、カード搬送機構３２のモータを逆転させて、カード処理ユニット３０内のプリペイドカードをカード挿入口３１へ導き（ＳＴ３０）、タイマ５６をスタートさせた後（ＳＴ３１）、入口センサ３３からのプリペイドカードの検知出力（ＳＴ３２）またはタイマ５６のタイムアップ（ＳＴ３３）に待機する。
【００５２】
もし、タイマ５６のタイムアップまでに、カード挿入口３１にプリペイドカードが返却されて、入口センサ３３の出力がオンになると、ＳＴ３２が「ＹＥＳ」となり、ＣＰＵ５１は、タイマ５６と、カード搬送機構３２のモータとを停止させ、第２の表示ランプ２８を点滅させてカード挿入口３１にプリペイドカードが返却されていることを報知し、プリペイドカードが取り出されることに待機する（ＳＴ３４〜ＳＴ３７）。
【００５３】
遊戯者が、カード挿入口３１に返却されたプリペイドカードを取り出すことにより、入口センサ３３の出力がオフになると、ＳＴ３７が「ＹＥＳ」となり、ＣＰＵ５１は、点滅していた第２の表示ランプ２８を消灯させて（ＳＴ３８）、全ての処理を終える。
【００５４】
ＳＴ３０でカード搬送機構３２が作動した後、カード処理ユニット３０内でプリペイドカードの詰まり等の異常が発生し、ＳＴ３２で入口センサ３３の出力がオンになる前に、タイマ５６がタイムアップすると、ＳＴ３３が「ＹＥＳ」になり、ＣＰＵ５１は、カード搬送機構３２のモータを停止させ、カード処理ユニット３０がユニットホルダ３６から取り出されるまでの間、第１の表示ランプ２４を点灯させ、スピーカー２３より警報音を発生させて、機体内に異常が発生したことを報知し続ける（ＳＴ３９〜４２）。
【００５５】
ホールの従業員などが、カード処理ユニット３０の中を点検すべく、ユニットホルダ３６よりカード処理ユニット３０を取り出すと、ＳＴ４１が「ＹＥＳ」になり、ＣＰＵ５１は、第１の表示ランプ２４を消灯させ、警報音を停止させて（ＳＴ４２）、第２の表示ランプ２８を消灯させた後（ＳＴ４３）、全ての処理を終える。
【００５６】
【発明の効果】
この発明は、上記のように、前記カード処理ユニットのカード搬送系の終端にカード排出口を設け、このカード排出口がカード挿入口より低位に位置するようカード処理ユニットを斜めに取り付けると共に、カード排出口の下方に上面開口のカード回収容器を配設して、使用済のプリペイドカードを機体内に回収するようにしたから、遊戯者は、不要な使用済カードを自分で廃棄する手間がなくなり、客サービスを向上できる。また、プリペイドカードが再利用可能な場合、使用済カードの回収漏れがなくなるので、資源の有効活用が図れる。
また、カード処理ユニットを斜めに設置し、しかも使用済のプリペイドカードを斜め下方へ排出可能としたから、装置の奥行き幅を小さく抑えることができ、装置の小型化を実現できる。従ってスロットマシンなどの遊戯機に隣接配置させる場合など、装置の奥行き幅に制限があっても、容易に対応できる。
【図面の簡単な説明】
【図１】この発明の一実施例のプリペイドカード処理装置が使用された遊戯システムの構成を示す説明図である。
【図２】プリペイドカード処理装置の外観を示す斜面図である。
【図３】プリペイドカード処理装置の側面図である。
【図４】プリペイドカード処理装置の一部を破断した側面図である。
【図５】プリペイドカード処理装置の電気的構成を示すブロック図である。
【図６】プリペイドカード処理装置の制御手順を示すフローチャートである。
【図７】プリペイドカード処理装置の制御手順を示すフローチャートである。
【図８】従来のプリペイドカード処理装置の一部を破断した側面図である。
【符号の説明】
１      プリペイドカード処理装置
２２    操作面
３０    カード処理ユニット
３１    カード挿入口
３２    カード搬送系
３４    磁気ヘッド
３５    カード排出口
４１    カード回収容器
Ａ，Ｂ  プリペイドカード
【図１】
0003610162.tif 000002
【図２】
0003610162.tif 000003
【図３】
0003610162.tif 000004
【図４】
0003610162.tif 000005
【図５】
0003610162.tif 000006
【図６】
0003610162.tif 000007
【図７】
0003610162.tif 000008
【図８】
0003610162.tif 000009